(57)【要約】【課題】可動レールを固定レール上へ手動にて引き上げる際に、押上用ローラが押上レバーから外れることがない伸縮レール装置を提供する。【解決手段】押上レバー８は、可動レール２が伸長位置にあるとき、押上用ローラ５に押されて付勢手段９を畜勢しつつ転倒し、可動レール２の基端部２ａが固定レール１の先端部１ａ上に乗った位置にあるとき、付勢手段９の放勢により押上用ローラ５を押し上げて起立する。押上手段４により、可動レール２を収縮方向へ後退操作する際の初期の力を補助する。固定レール１の先端部１ａ側のウェブ１ｄの左右側面には、可動レール２を固定レール１上へ手動で引き上げる際に、押上用ローラ５が押上レバー８の回転半径を超えないように、その移動範囲を規制するためのストッパ１０が突設される。【選択図】図４
2020165147.tif 000002
【特許請求の範囲】
【請求項１】
本線レールの側方に設けられた作業車両の保管場所から本線レールまで作業車両を移動させるために、本線レールとほぼ直交方向に交差するように前後方向に伸縮可能に設けられるレール装置であって、
基端と先端とを有し前記本線レールに対しほぼ直交方向に伸びるように前記保管場所のベース上に固定される固定レールと、
基端と先端とを有し基端側を前記固定レールの基端部上にまた先端側を固定レールの先端部上に配置して前記固定レール上に載せ置かれる収縮位置と基端側が前記固定レールの先端側と上面を一致させて延線方向である前後方向に固定レールと連続する伸長位置との間で前記固定レールの上をそれの延線方向である前後方向に往復移動可能に設けられる可動レールとを具備する伸縮レール装置において、
前記固定レールは、作業車両の車輪を載せ受ける上部フランジと、前記ベースに固定される下部フランジと、両フランジの中央間を接続する垂直のウェブとを具備し、
前記可動レールは、作業車両の車輪を載せ受ける走行部と、当該走行部の左右両側から相対向して下方へ延出する一対の脚部とを有し、全体が断面ほぼコ字状に構成され、収縮位置において前記走行部を前記上部フランジ上に乗せ、前記固定レールを跨いで前記固定レール上に載せ置き可能に構成され、
前記可動レールの基端側の前記脚部には、伸長位置において前記固定レールの先端側の前記ウェブの左右側面に対向するように延出する支持板がそれぞれ固着され、
前記固定レールと前記可動レールとの間には、伸長位置にある前記可動レールを後退させる際に前記可動レールの基端側を前記固定レールの先端部上に押し上げるための押上手段が設けられ、
前記押上手段は、前記支持板の対向方向と反対側である外側へ突出するように支持板上に設けられる押上用ローラと、伸長位置にある前記可動レールの基端側が後退して前記固定レールの先端部上に乗り上げるまでの間前記押上用ローラに係合して前記可動レールの基端側を上方へ押し上げる力を付与するように固定レールの先端側の左右両側に設けられる押上機構とを具備し、
前記押上機構は、前記押上用ローラに係合して起立・転倒する押上レバーと、この押上レバーを常時起立方向に回転付勢する付勢手段とを具備し、
前記押上レバーは、前記可動レールが伸長位置にあるとき前記押上用ローラに押されて前記付勢手段を畜勢しつつ転倒し、可動レールの基端部が前記固定レールの先端部上に乗った位置にあるとき付勢手段の放勢により押上用ローラを押し上げて起立するように前記付勢手段により付勢され、
前記可動レールを収縮方向へ後退操作する際の初期の力を前記押上機構で補助するように構成される伸縮レール装置において、
前記固定レールの先端側の前記ウェブの左右側面には、前記可動レールの基端側を前記固定レールの先端部上へ手動にて引き上げる際に、前記押上用ローラが前記押上レバーの回転半径を超えて引き上げられることがないようにそれの移動範囲を規制するためのストッパが突設されることを特徴とする伸縮レール装置。
【発明の詳細な説明】
【技術分野】
【０００１】
この発明は、鉄道線路における本線レールの脇に設けられた作業車両の保管場所から本線レールまで作業車両を移動させるために、本線レールとほぼ直交方向に交差するように伸縮可能に設けられるレール装置に関するものである。
【背景技術】
【０００２】
従来、鉄道作業車両用の伸縮レール装置として、例えば特許文献１に記載されたものが知られている。これは、作業車両の保管場所に固定された固定レールの上に載せ置かれた可動レールを、必要時に引き出して所定位置まで延長する形式のものである。
この伸縮レール装置においては、固定レールが、本線レールに対しほぼ直交方向に伸びるように保管場所のベース上に固定される。可動レールは、基端側を固定レールの基端部上にまた先端側を固定レールの先端部上に配置して固定レール上に載せ置かれる収縮位置と、基端側が固定レールの先端側と上面を一致させて延線方向である前後方向に固定レールと連続する伸長位置との間で固定レールの上をそれの延線方向である前後方向に往復移動可能に設けられる。
固定レールは、作業車両の車輪を載せ受ける上部フランジと、ベースに固定される下部フランジと、両フランジの中央間を接続する垂直のウェブとを具備する。
可動レールは、作業車両の車輪を載せ受ける走行部と、当該走行部の左右両側から相対向して下方へ延出する一対の脚部とを有し、全体が断面ほぼコ字状に構成され、収縮位置において走行部を固定レールの上部フランジ上に乗せ、固定レールを跨いで固定レール上に載せ置くことができるように構成される。
可動レールの基端側の脚部には、伸長位置において固定レールの先端側のウェブの左右側面に対向するように延出する支持板がそれぞれ固着される。
固定レールと可動レールとの間には、伸長位置にある可動レールを後退させる際に可動レールの基端側を固定レールの先端部上に押し上げるための押上手段が設けられる。
押上手段は、支持板の対向方向と反対側である外側へ突出するように支持板上に設けられる押上用ローラと、伸長位置にある可動レールの基端側が後退して固定レールの先端部上に乗り上げるまでの間、押上用ローラに係合して可動レールの基端側を上方へ押し上げる力を付与するように固定レールの先端側の左右両側に設けられる押上機構とを具備する。
押上機構は、押上用ローラに係合して起立・転倒する押上レバーと、この押上レバーを常時起立方向に回転付勢する付勢手段とを具備する。
押上レバーは、可動レールが伸長位置にあるとき、押上用ローラに押されて付勢手段を畜勢しつつ転倒し、可動レールの基端部が固定レールの先端部上に乗った位置にあるとき、付勢手段の放勢により押上用ローラを押し上げて起立するように付勢手段により付勢される。
押上手段により、可動レールを収縮方向へ後退操作する際の初期の力を押上機構で補助するように構成される。
【先行技術文献】
【特許文献】
【０００３】
【特許文献１】特開２００８−１５０８１９号公報
【発明の概要】
【発明が解決しようとする課題】
【０００４】
上記従来の伸縮レール装置においては、伸長状態にある可動レールを収縮位置に復旧させるために、可動レールの基端側を固定レールの先端部上へ手動にて引き上げる際に、勢い余って、押上用ローラが押上レバーの回転半径を超える位置まで引き上げられると、押上用ローラと押上レバーとの係合が外れてしまう。可動レールは大重量であるから、いったん係合が外れた押上用ローラを適正位置に戻すのは容易でないという問題点がある。
したがって、この発明は、可動レールを固定レール上へ手動にて引き上げる際に、押上用ローラが押上レバーの回転半径を超えて引き上げられることがない伸縮レール装置を提供することを課題とする。
【課題を解決するための手段】
【０００５】
上記課題を解決するための、本発明の伸縮レール装置は、可動レール２が、作業車両の車輪を載せ受ける走行部２ｂと、当該走行部２ｂの左右両側から相対向して下方へ延出する一対の脚部２ｃとを有し、全体が断面ほぼコ字状に構成され、収縮位置において走行部２ｂを固定レール１の上部フランジ１ｂ上に乗せ、固定レール１を跨いで固定レール１上に載せ置くことができるように構成される。可動レール２の基端部２ａ側の脚部２ｃには、伸長位置において固定レール１の先端部１ａ側のウェブ１ｄの左右側面に対向するように延出する支持板３がそれぞれ固着される。固定レール１と可動レール２との間には、伸長位置にある可動レール２を後退させる際に可動レール２の基端部２ａ側を固定レール１の先端部１ａ上に押し上げるための押上手段４が設けられる。押上手段４は、支持板３の対向方向と反対側である外側へ突出するように支持板３上に設けられる押上用ローラ５と、伸長位置にある可動レール２の基端部２ａが後退して固定レール１の先端部１ａ上に乗り上げるまでの間、押上用ローラ５に係合して可動レール２の基端部２ａ側を上方へ押し上げる力を付与するように固定レール１の先端側の左右両側に設けられる押上機構６とを具備する。押上機構６は、押上用ローラ５に係合して起立・転倒する押上レバー８と、この押上レバー８を常時起立方向に回転付勢する付勢手段９とを具備する。押上レバー８は、可動レール２が伸長位置にあるとき、押上用ローラ５に押されて付勢手段９を畜勢しつつ転倒し、可動レール２の基端部が固定レール１の先端部1ａ上に乗った位置にあるとき、付勢手段９の放勢により押上用ローラ５を押し上げて起立するように付勢手段９により付勢される。可動レール２を収縮方向へ後退操作する際の初期の力を押上手段４で補助するように構成される。固定レール１の先端部1ａ側のウェブ１ｄの左右側面には、可動レール２の基端側を固定レール１の先端部上へ手動にて引き上げる際に、押上用ローラ５が押上レバー８の回転半径を超えて引き上げられることがないように、それの移動範囲を規制するためのストッパ１０が突設される。
【発明の効果】
【０００６】
本発明の伸縮レール装置においては、押し上げ用ローラ５の移動範囲がストッパ１０により規制されるため、可動レール２を固定レール１上へ手動にて引き上げる際に、押上用ローラ５が押上レバー８の回転半径を超えて引き上げられることがなく、押し上げ用ローラ５が押上レバー８から外れることがない。
【図面の簡単な説明】
【０００７】
【図１】伸長状態の伸縮レール装置における接続部の正面図である。
【図２】伸長状態の伸縮レール装置における接続部の平面図である。
【図３】図１におけるIII−III断面図である。
【図４】可動レールが後退初期の状態にある伸縮レール装置における接続部部の正面図である。
【図５】図４におけるV−V断面図である。
【発明を実施するための形態】
【０００８】
図面を参照して本発明の一実施形態を説明する。
鉄道作業車両用の伸縮レール装置は、作業車両走行させるための固定レール１と可動レール２とを具備する。固定レール１は、作業車両の保管場所に固定される。可動レール２は、常時は固定レール１の上に載せ置かれた収縮位置にあり、必要時に伸長位置へ引き出され、固定レール１と接続され（図１）、図示しない本線レールまで延長される。したがって、可動レール２は、収縮位置と伸張位置の間で固定レール１の上をそれの延線方向である前後方向に往復移動可能に設けられる。
【０００９】
この伸縮レール装置においては、固定レール２が、図示しない本線レールに対しほぼ直交方向に伸びるように保管場所のベースＢ上に固定される。可動レール２は、図示しない収縮位置において、基端部２ａ側を固定レール１の図示しない基端部上に、また図示しない先端側を固定レール１の先端部１ａ上に配置して固定レール１上に載せ置かれ、図１，２に示す伸張位置においては、基端部２ａ側が固定レール１の先端１ａ側と上面を一致させて延線方向である前後方向に連続する。
【００１０】
固定レール１は、作業車両の車輪を載せ受ける上部フランジ１ｂと、ベースＢに固定される下部フランジ１ｃと、両フランジ１ｂ，１ｃの中央間を接続する垂直のウェブ１ｄとを具備する。
【００１１】
可動レール２は、作業車両の車輪を載せ受ける走行部２ｂと、当該走行部２ｂの左右両側から相対向して下方へ延出する一対の脚部２ｃとを有し、全体が断面ほぼコ字状に構成され、収縮位置において走行部２ｂを固定レール１の上部フランジ１ｂ上に乗せ、固定レール１を跨いで固定レール１上に載せ置くことができるように構成される。
【００１２】
可動レール２の基端部２ａ側の脚部２ｃには、固定レール１側へ延出する支持板３がそれぞれ固着される。支持板３は、図１，２に示す伸長位置において固定レール１の先端部１ａ側のウェブ１ｄの左右側面に対向するように配置される。
【００１３】
固定レール１と可動レール２との間には、伸長位置にある可動レール２を収縮位置へを後退させる際に、可動レール２の基端部２ａを固定レール１の先端部１ａ上に押し上げるための押上手段４が設けられる。
【００１４】
押上手段４は、可動レール２側の支持板３に設けられる押上用ローラ５と、固定レール１の先端側の左右両側に設けられる押上機構６とを具備する。押上機構６は、伸長位置にある可動レール２の基端側が後退して固定レール１の先端部１ａ上に乗り上げるまでの間、押上用ローラ５に係合して可動レール２の基端側を上方へ押し上げる力を付与する。
【００１５】
押上用ローラ５は、支持板３上に、外側へ突出するように設けられる。支持板３の内側には、押上用ローラ５と同心上に外れ止め用ローラ７が設けられる。
【００１６】
押上機構６は、押上用ローラ５に係合して起立・転倒する押上レバー８と、この押上レバー８を常時起立方向に回転付勢する付勢手段９とを具備する。
【００１７】
押上レバー８は、図１，２に示すように、可動レール２が伸長位置にあるとき、押上用ローラ５に押されて付勢手段９を畜勢しつつ転倒し、図４に示すように、可動レール２の基端部２ａが固定レール１の先端部１ａ上に乗った位置にあるとき、付勢手段９の放勢により押上用ローラ５を押し上げて起立するように付勢される。
【００１８】
固定レール１の先端側のウェブ１ｄの左右側面には、可動レール２の基端部２ａ側を固定レール１の先端部１ａ上へ手動にて引き上げる際に、押上用ローラ５が押上レバー８の回転半径を超えて引き上げられることがないように、それの移動範囲を規制するためのストッパ１０が突設される。図示の実施形態において、ストッパ１０は、押上用ローラ５と同心上に設けられた外れ止め用ローラ７の動きを押上レバー８の回転半径内に規制する円弧状のガイド面１０ａを有する。
【符号の説明】
【００１９】
１      固定レール
１ａ    先端部
１ｂ    上部フランジ
１ｃ    下部フランジ
１ｄ    ウェブ
２      可動レール
２ａ    基端部
２ｂ    走行部
２ｃ    脚部
３      支持板
４      押上手段
５      押上用ローラ
６      押上機構
７      外れ止めローラ
８      押上レバー
９      付勢手段
１０    ストッパ
１０ａ  ガイド面
【図１】
2020165147.tif 000003
【図２】
2020165147.tif 000004
【図３】
2020165147.tif 000005
【図４】
2020165147.tif 000006
【図５】
2020165147.tif 000007